【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
複数の録画装置と接続して、該複数の録画装置における番組録画の実行を制御する録画制御装置であって、
番組録画の実行依頼を受け付ける受付手段と、
前記複数の録画装置から、各録画装置で前記実行依頼の受付時点以降に実行される番組予約録画に関する予約情報を取得する取得手段と、
前記予約情報に基づいて、前記複数の録画装置の中から、前記実行依頼に対応する録画動作を最も長い時間継続可能な録画装置を選定する選定手段と、
前記選定手段により選定された録画装置に、前記実行依頼に対応する番組録画の依頼を行う実行依頼手段と
を備えることを特徴とする録画制御装置。
【請求項２】
前記予約情報は、各録画装置において実行される番組予約録画のうち、前記受付時点にそれぞれ最も近い第１の番組予約録画に関する情報であることを特徴とする請求項１に記載の録画制御装置。
【請求項３】
前記選定手段は、前記受付時点から前記第１の番組予約録画の開始時刻まで録画を実行するために必要な第１の容量に基づいて各録画装置における録画可能容量を算出し、該録画可能容量の最も大きな録画装置を選定することを特徴とする請求項２に記載の録画制御装置。
【請求項４】
前記選定手段は、各録画装置において番組予約録画を実行するために必要な第２の容量をそれぞれ算出し、対応する録画装置の残容量から前記第２の容量をそれぞれ減じて第１の残容量を算出し、
算出された前記録画可能容量が、対応する録画装置の前記第１の残容量を超える場合に、該録画装置の録画可能容量を該第１の残容量とすることを特徴とする請求項３に記載の録画制御装置。
【請求項５】
前記予約情報は、各録画装置において実行される番組予約録画のうち、前記実行依頼に係る第１の番組と同時録画が可能な番組についての番組予約録画を除外した、前記受付時点に最も近い第２の番組予約録画に関する情報であることを特徴とする請求項１に記載の録画制御装置。
【請求項６】
前記選定手段は、前記受付時点から前記第２の番組予約録画の開始時刻まで録画を実行するために必要な容量と、前記同時録画が可能な番組について番組予約録画を実行するために必要な容量とに基づいて各録画装置における録画可能容量を算出し、該録画可能容量の最も大きな録画装置を選定することを特徴とする請求項５に記載の録画制御装置。
【請求項７】
前記予約情報は、各録画装置において実行される番組予約録画のうち、前記実行依頼に係る第１の番組と、放送種別及びチャンネルが同一の番組についての番組予約録画を除外した、前記受付時点に最も近い第３の番組予約録画に関する情報であることを特徴とする請求項１に記載の録画制御装置。
【請求項８】
前記選定手段は、前記受付時点から前記第３の番組予約録画の開始時刻まで録画を実行するために必要な容量と、前記放送種別及びチャンネルが同一の番組について番組予約録画を実行するために必要な容量とに基づいて各録画装置における録画可能容量を算出し、該録画可能容量の最も大きな録画装置を選定することを特徴とする請求項７に記載の録画制御装置。
【請求項９】
算出された前記録画可能容量が、対応する録画装置の残容量を超える場合は、該録画装置の録画可能容量を該残容量とすることを特徴とする請求項３、６又は８に記載の録画制御装置。
【請求項１０】
前記実行依頼手段による前記依頼に応じて、選定された前記録画装置において番組録画が実行された場合に、前記番組録画が継続可能な時間を表示装置に表示させる表示制御手段をさらに備えることを特徴とする請求項１乃至９のいずれか１項に記載の録画制御装置。
【請求項１１】
複数の録画装置と接続して、該複数の録画装置における番組録画の実行を制御する録画制御装置の制御方法であって、
受付手段が、番組録画の実行依頼を受け付ける受付工程と、
取得手段が、前記複数の録画装置から、各録画装置で前記実行依頼の受付時点以降に実行される番組予約録画に関する予約情報を取得する取得工程と、
選定手段が、前記予約情報に基づいて、前記複数の録画装置の中から、前記実行依頼に対応する録画動作を最も長い時間継続可能な録画装置を選定する選定工程と、
実行依頼手段が、前記選定工程において選定された録画装置に、前記実行依頼に対応する番組録画の依頼を行う実行依頼工程と
を備えることを特徴とする方法。
【請求項１２】
前記予約情報は、各録画装置において実行される番組予約録画のうち、前記受付時点にそれぞれ最も近い第１の番組予約録画に関する情報であることを特徴とする請求項１１に記載の録画制御装置の制御方法。
【請求項１３】
前記選定工程では、前記受付時点から前記第１の番組予約録画の開始時刻まで録画を実行するために必要な第１の容量に基づいて各録画装置における録画可能容量を算出し、該録画可能容量の最も大きな録画装置を選定することを特徴とする請求項１２に記載の録画制御装置の制御方法。
【請求項１４】
前記選定工程では、各録画装置において番組予約録画を実行するために必要な第２の容量をそれぞれ算出し、対応する録画装置の残容量から前記第２の容量をそれぞれ減じて第１の残容量を算出し、
算出された前記録画可能容量が、対応する録画装置の前記第１の残容量を超える場合に、該録画装置の録画可能容量を該第１の残容量とすることを特徴とする請求項１３に記載の録画制御装置の制御方法。
【請求項１５】
前記予約情報は、各録画装置において実行される番組予約録画のうち、前記実行依頼に係る第１の番組と同時録画が可能な番組についての番組予約録画を除外した、前記受付時点に最も近い第２の番組予約録画に関する情報であることを特徴とする請求項１１に記載の録画制御装置の制御方法。
【請求項１６】
前記選定工程では、前記受付時点から前記第２の番組予約録画の開始時刻まで録画を実行するために必要な容量と、前記同時録画が可能な番組について番組予約録画を実行するために必要な容量とに基づいて各録画装置における録画可能容量を算出し、該録画可能容量の最も大きな録画装置を選定することを特徴とする請求項１５に記載の録画制御装置の制御方法。
【請求項１７】
前記予約情報は、各録画装置において実行される番組予約録画のうち、前記実行依頼に係る第１の番組と、放送種別及びチャンネルが同一の番組についての番組予約録画を除外した、前記受付時点に最も近い第３の番組予約録画に関する情報であることを特徴とする請求項１１に記載の録画制御装置の制御方法。
【請求項１８】
前記選定工程では、前記受付時点から前記第３の番組予約録画の開始時刻まで録画を実行するために必要な容量と、前記放送種別及びチャンネルが同一の番組について番組予約録画を実行するために必要な容量とに基づいて各録画装置における録画可能容量を算出し、該録画可能容量の最も大きな録画装置を選定することを特徴とする請求項１７に記載の録画制御装置の制御方法。
【請求項１９】
算出された前記録画可能容量が、対応する録画装置の残容量を超える場合は、該録画装置の録画可能容量を該残容量とすることを特徴とする請求項１３、１６又は１８に記載の録画制御装置の制御方法。
【請求項２０】
前記実行依頼工程における前記依頼に応じて、選定された前記録画装置において番組録画が実行された場合に、前記番組録画が継続可能な時間を表示装置に表示させる表示制御工程をさらに備えることを特徴とする請求項１１乃至１９のいずれか１項に記載の録画制御装置の制御方法。